(57)【要約】      （修正有）【課題】リニアトランスミッションモジュールの防塵装置を提供する。【解決手段】エンドカバー５にスクリュー４が貫通することができるスルーホール５１を有しており、スルーホール内は径が大きめの凹溝５２を有し、それを用いて可塑性を備えたワイパー７を設置することができる。当該ワイパーはスクリュー外周に接触するインナーエッジ７１、及びスクリューの螺旋溝に接触する舌片７２を有し、このワイパーによってスクリューとエンドカバー間の隙間を密封し、これにより異物と粉塵が当該隙間またはスクリューの螺旋溝からスライドブロック内部に入り込むのを防ぐ。さらに、潤滑油の漏れを防止してスクリューの潤滑効果を保持し、かつ当該ワイパーが多孔性素材である場合、潤滑油を蓄えてスクリューを潤滑することができ、また、当該ワイパーと潤滑油の遮りによって、リニアトランスミッションモジュールの騒音を3〜5デシベル低下させる。【選択図】図３
0003129443.tif 000002
【実用新案登録請求の範囲】
【請求項１】
リニアトランスミッションモジュールの防塵装置であって、スライドレールにおいてスライドブロックをスライドフィットし、当該スライドブロックはスライドレールに沿って軸方向の両端にスクリューホールが貫通しており、これによりスクリューがその中を貫通することができ、このスクリューはスクリューホールと対応する螺旋溝を有し、さらにその間にローリングエレメントを保持することで、スクリューの回転運動によってスライドブロックを連動させ、リニアポジショニング伝動ができるようになっており、スライドブロックはスライドレールに沿って軸方向の両端にエンドカバーが組みつけられ、エンドカバーはスクリューが通過することができるスルーホールを有しており、
エンドカバーには別途ワイパーが取り付けられ、当該ワイパーはスクリュー外周に接触するインナーエッジ、及びスクリューの螺旋溝に接触する舌片を有し、このワイパーによってスクリューの隙間を密封することができ、これにより異物と粉塵が隙間と溝からスライドブロック中に入り込むのを防ぎ、さらに潤滑油の漏れを防止してスクリューの潤滑効果を保持し、ワイパーが隔てることにより運転時に発生する騒音を低下させることを特徴とするリニアトランスミッションモジュールの防塵装置。
【請求項２】
スライドレールが細長い形状をし、かつ切断面がU字型になっており、U字型の両側内壁上に軸方向に溝が設置され、また、スライドブロックが前記U字型スライドレールの両側内壁の間に設置され、その両側のスライドレールに相対する溝の箇所に対応するガイドを有し、スライドレールの溝及びスライドブロックのガイドの間にローリングエレメントを有し、かつエンドカバーによりローリングエレメントを循環させることができることを特徴とする請求項1に記載されたリニアトランスミッションモジュールの防塵装置。
【請求項３】
エンドカバーのスライドレールに沿った軸方向の両端にオイルワイパーが組みつけられ、当該オイルワイパーはスクリューが貫通する貫通孔を有していることを特徴とする請求項1に記載されたリニアトランスミッションモジュールの防塵装置。
【請求項４】
エンドカバーがスルーホールのアウターエッジに径が大きい凹溝を有し、オイルワイパーの貫通孔口径が凹溝より小さいため、これによりワイパーがエンドカバーの凹溝中に取り付けられ、また、オイルワイパーによってワイパーを圧迫し、エンドカバーの凹溝とオイルワイパーの間に固定し、ワイパーがスライドブロックとスクリューに合わせて相対運動することを特徴とする請求項3に記載されたリニアトランスミッションモジュールの防塵装置。
【請求項５】
ワイパーの舌片がインナーエッジ壁面からインナーエッジ内に突き出して設置され、インナーエッジがスクリュー外周と接触し、舌片がスクリューの螺旋溝と接触するようになっていることを特徴とする請求項1に記載されたリニアトランスミッションモジュールの防塵装置。
【請求項６】
ワイパーの舌片の数がスクリューの螺旋溝の数と同じであることを特徴とする請求項5に記載されたリニアトランスミッションモジュールの防塵装置。
【請求項７】
ワイパーが可塑性を有する素材からなることを特徴とする請求項1に記載されたリニアトランスミッションモジュールの防塵装置。
【請求項８】
ワイパーが多孔性素材からなることを特徴とする請求項1に記載されたリニアトランスミッションモジュールの防塵装置。
【考案の詳細な説明】
【技術分野】
【０００１】
本考案は、一種のリニアトランスミッションモジュールの防塵装置を提供するものである。なかでも、スライドブロックにスクリュー外周及び溝の隙間に密接するワイパーを増設し、これにより潤滑油を蓄え、潤滑油の漏れを防止し、スクリューの潤滑効果を保持して、騒音を低下させること可能にする技術を有するものを目指す。
【背景技術】
【０００２】
リニアトランスミッションモジュールはボールスクリューを採用したアクチュエーターであり、これにより直線ガイドレールを駆動する。主な機能は回転運動をリニア運動に転換し、またはトルクを軸方向反覆作用力に転換することであり、さらに高精度、可逆性、高効率を兼ね備えているという特徴を有する。
米国特許第US6585868号は、多様なリニアトランスミッションモジュールを提示している。
【特許文献１】米国特許第US6585868号
【考案の開示】
【考案が解決しようとする課題】
【０００３】
図１、図２に示すように、現有のリニアトランスミッションモジュールのエンドカバー(5)はスクリュー(4)に対する防塵装置を全く取り付けておらず、エンドカバー(5)、スクリュー(4)がともに剛性素材である場合、両者の間には必ず隙間(A)ができ、隙間(A)があると、当然ながらスクリュー(4)内部の潤滑機能を保持できない。
また、異物と粉塵がスクリュー(4)外周(41)またはスクリューの溝(42)とエンドカバー(5)の間の隙間(A)からスライドブロック(2)内部に入り込みやすく、ローリングエレメントのスムーズな循環に影響を与え、スクリュー(4)とスライドブロック(2)の間のねじ接合面を摩損し、スクリュー(4)の精度と寿命を低下させることになる。
【課題を解決するための手段】
【０００４】
習知の技術のリニアトランスミッションモジュールがスクリューに対する防塵装置を有していないという欠点を補うため、本考案のリニアトランスミッションモジュールはスライドブロックのエンドカバー上にワイパーを設置した。このワイパーはスライドブロックとスクリューに合わせて相対運動し、かつワイパーを利用してスクリューホールとスクリューの間の隙間を密封し、これにより異物と粉塵が隙間と溝からその内部に入り込むのを防ぎ、さらに潤滑油の漏れを防止してスクリューの潤滑効果を保持し、かつ当該ワイパーは羊毛フェルト、スポンジなどの多孔性素材からなるため、潤滑油を蓄えてスクリューの溝を潤滑することができ、かつワイパーと潤滑油の遮りによって、リニアトランスミッションモジュールの騒音を3〜5デシベル低下させることができる。
【考案の効果】
【０００５】
本考案はワイパーと潤滑油の遮りによって、リニアトランスミッションモジュールの騒音を3〜5デシベル低下させ、また、異物と粉塵が隙間と溝からスクリューホール内部に入り込むことを防ぎ、さらに潤滑油の漏れを防止してスクリューの潤滑効果を保持することができ、かつ当該ワイパー自体が潤滑効果を持つため、強制注油のための大量の油路の設計を省くことができ、また、ワイパーの潤滑機能はリニアトランスミッションプラットフォームの取り付け方向の影響を受けることはなく、大いに製品性能と適用性を向上させている。
【考案を実施するための最良の形態】
【０００６】
審査委員の方に本考案の構造、特徴及びその他の目的を更にご理解いただくため、ここに以下のような比較的優れた実施例の図面による詳細な説明を付け加える。
【０００７】
図３から図７を参照いただきたい。本考案は、
細長い形状をし、かつ切断面がU字型になっており、U字型の両側の内壁(11)上に軸方向に溝(12)が設置されているスライドレール(1)、
前記U字型スライドレール(1)の両側内壁(11)の間に設置され、その両側のスライドレール(1)の溝(12)に相対する箇所にそれぞれ対応するガイド(21)を有し、スライドレール(1)の溝(12)及びスライドブロック(2)のガイド(21)の間にローリングエレメント(3)を有し、当該スライドブロック(3)をスライドレール(1)に沿って軸方向にスライドフィットさせることができ、当該スライドブロック(2)両端は2個の溝(21)の間に貫通したスクリューホール(22)を有し、このスクリューホール(22)がスライドレール(1)に沿って軸方向に設置されている、スライドブロック(2)、外周(41)に螺旋溝(42)を有し、これをスライドブロック(2)のスクリューホール(22)中にねじ接合させることができ、スクリューホール(22)中のスクリュー(4)に相対する螺旋溝(42)の箇所に対応する螺旋溝(23)を有し、スクリュー(4)の螺旋溝(42)及びスクリューホール(22)の螺旋溝(23)の間にローリングエレメント(3)が取り付けられ、かつスクリューホール(22)下方にローリングエレメント(3)が循環して転がることができる還流管(24)を有するスクリュー(4)、
スライドブロック(2)において、スライドレール(1)にそって軸方向にそれぞれ両端に設置され、エンドカバー(5)にスクリュー(4)が貫通するスルーホール(51)を有し、スクリュー(4)が貫通することができ、かつ前記ローリングエレメント(3)を循環させることができ、スクリュー(4)の回転運動にスライドブロック(2)を連動させ、スライドレール(1)にそって軸方向にリニアポジショニング伝動を行なわせることができ、エンドカバー(5)がスルーホールの(51)アウターエッジに径が大きめの凹溝(52)を有する2個のエンドカバー(5)、
エンドカバー(5)において、スライドレール(1)に沿って軸方向にそれぞれ両端に設置され、オイルワイパー(6)にスクリュー(4)が貫通する貫通孔(61)を有し、当該貫通孔(61)口径が凹溝(52)より小さい2個のオイルワイパー(6)、
円環状の薄片であり、エンドカバー(5)の凹溝(52)中に取り付けられ、オイルワイパー(6)によって圧迫され、ワイパー(7)をエンドカバー(5)の凹溝(52)とオイルワイパー(6)の間に固定し、ワイパー(7)がスライドブロック(2)とスクリュー(4)に合わせて相対運動し、ワイパー(7)がスクリュー(4)外周(41)に接触するインナーエッジ(71)、及びスクリュー(4)螺旋溝(42)に接触する舌片(72)を有し、ワイパー(7)によってエンドカバー(5)とスクリュー(4)の間の隙間が密封される2個の可塑性を有するワイパー(7)、を含む。
【０００８】
以上により、本考案には少なくとも以下の効果増強点がある。
一、 異物と粉塵がスクリュー(4)外周(41)、螺旋溝(42)からエンドカバー(5)との隙間を通ってスライドブロック(2)内部に入り込むことを防ぐことができ、これによりローリングエレメント(3)のスムーズな循環を確保し、スクリュー(4)とスライドブロック(2)の間のねじ接合面が摩損せず、スクリュー(4)既存の精度を維持してスクリュー(4)の使用寿命を延長する。
二、 ワイパー(7)がエンドカバー(5)とスクリュー(4)の間の隙間を完全に密封するため、スライドブロック(2)内部のローリングエレメント(3)の潤滑油の漏れを防止し、スクリューの潤滑効果も保持できる。
三、 また、当該ワイパー(7)が可塑性を有する羊毛フェルト、スポンジなどの多孔性素材からなる場合、当該ワイパー(7)内には潤滑油が充満するので、ワイパー(7)内の潤滑油をスクリュー(4)まで送り届けることができ、自らも潤滑効果を有するため、これにより強制注油のための大量の油路の設計を省くことができる。
四、 本考案はワイパー(7)と蓄えられた潤滑油の遮りによって、リニアトランスミッションモジュールの騒音を3〜5デシベル低下させることができる。
【０００９】
図８、図９及び図１０を参照いただきたい。これらは本考案のワイパー(7)の第二の実施例である。当該実施例は本考案のワイパー(7)の舌片(72)を2個としており、さらに当該舌片(72)は等分され、インナーエッジ(71)壁面からインナーエッジ(71)内に向かって突き出して設置され、これにより当該2個の舌片(72)が対称かつより大きめの表面積でスクリュー(4)の螺旋溝(42)1対に接触し、これにより同様の防塵及び潤滑効果が得られる。同じ理論で、図１１に示されるように、当該ワイパー(7)の舌片(72)は4個、またはその他任意の数で設置することも可能であり、螺旋溝(42)の数と合致していればよく、同様に当該スクリュー(4)の防塵及び潤滑機能が得られる。
【００１０】
上記を総括すると、本考案はスクリューの防塵、潤滑及び防音を有効に解決する新規技術を確実に提供するものである。慣用スクリューにおける、精度が容易に低下する、使用寿命が短めであるという問題を完全に打ち破り改革した技術理念上の高度な創作であり、実用新案登録出願要件にも合致するものであることから、ここに法に基づき出願を提出する。しかし、上記に述べた例は本考案のひとつの比較的優れた実施例であるのみであり、これにより本考案の実施の範囲を限定することはできず、本考案に係る実用新案登録請求の範囲による均等変化や修飾も、すべて本考案が網羅する範囲内に属するべきものである。
【図面の簡単な説明】
【００１１】
【図１】慣用の立体組立図である。
【図２】図１A〜A’の位置の断面図である。
【図３】本考案の部分分解図である。
【図４】本考案の立体組立図である。
【図５】図４A〜A’の位置の断面図である。
【図６】図４B〜B’の位置の断面図である。
【図７】図５C〜C’の位置の断面図である。
【図８】本考案第二実施例の分解図である。
【図９】本考案第二実施例の組立図である。
【図１０】図９D〜D’の位置の断面図である。
【図１１】本考案第三実施例の断面図である。
【符号の説明】
【００１２】
1         スライドレール
11    内壁
12    溝
2     スライドブロック
21    ガイド
22    スクリューホール
23    螺旋溝
24    還流管
3     ローリングエレメント
4     スクリュー
41    外周
42    螺旋溝
5     エンドカバー
51    スルーホール
52    凹溝
6     オイルワイパー
61    貫通孔
7     ワイパー
71    インナーエッジ
72    舌片
A     隙間
【図１】
0003129443.tif 000003
【図２】
0003129443.tif 000004
【図３】
0003129443.tif 000005
【図４】
0003129443.tif 000006
【図５】
0003129443.tif 000007
【図６】
0003129443.tif 000008
【図７】
0003129443.tif 000009
【図８】
0003129443.tif 000010
【図９】
0003129443.tif 000011
【図１０】
0003129443.tif 000012
【図１１】
0003129443.tif 000013